(57)【要約】      （修正有）【課題】収納したレセプト等の書類が開閉蓋にもたれかかっても開かないようにしたファイリングボックスを提供する。【解決手段】正面板３、一対の側板４、背板５及び底板により構成されるボックス本体１と、ボックス本体１の上部に連接された天蓋２とからなるファイリングボックスにおいて、正面板３の上部分を外側に開く開閉蓋７とする。天蓋２は、背板５に延設された天板と、一対の側板４に折り曲げ線１３により内側に中折り可能に設けられた補強板１１とを一体に形成し、中折りした一対の補強板１１と天板との間に挿入されて挟持される係止板９が折り曲げ線１４により内側に折曲可能に開閉蓋７に連設されている。【選択図】図１
0003157775.tif 000002
【実用新案登録請求の範囲】
【請求項１】
正面板、側板、背板及び底板により構成されるボックス本体と、ボックス本体の上部に連接された天蓋とからなるファイリングボックスにおいて、前記正面板の上部分は外側に開く開閉蓋とし、前記天蓋は、背板に延設された天板と、側板に折り曲げ線により内側に中折り可能に設けられた補強板とにより形成され、中折りした補強板と天板との間に挿入されて挟持される係止板が折り曲げ線により内側に折曲可能に開閉蓋に連設されていることを特徴とする。
【請求項２】
側板と補強板の折り曲げ線と補強板の中折り曲げ線との交点と、正面板と係止板の折り曲げ線と側板と正面板の折り曲げ線との交点を結ぶ折り曲げ線を形成したことを特徴とする請求項１に記載のファイリングボックス。
【請求項３】
天板に指を挿入して引っかける指挿入孔を設けたことを特徴とする請求項１又は２に記載のファイリングボックス。
【請求項４】
開閉蓋に指を挿入して引っかける指挿入孔を設けたことを特徴とする請求項１、２又は３に記載のファイリングボックス。
【考案の詳細な説明】
【技術分野】
【０００１】
本考案は、レセプト等の書類を収納して保管するために使用するファイリングボックスに関する。
【背景技術】
【０００２】
従来、書類の保管、例えば、過年度分のレセプト（診療報酬明細書）の保管は、多数のレセプトを年度毎に番号順にまとめて紐で結束してそのまま、あるいは結束したものを段ボールに入れて積み上げたり、あるいは棚等に保管したりしている。
【０００３】
そして、保管したレセプトのうちから所定のレセプトを取り出す必要がある場合、該当するレセプトが入っている紐で結束されているもの、あるいは該当するレセプトが入っている段ボールを探し、紐を解いて所定のレセプトを検索し取り出している。
【０００４】
しかしながら、従来のレセプトの保管では、保管したレセプトのうちから所定のレセプトを取り出す必要がある時、あるいはレセプトを所定のところに入れる必要がある時、多数のレセプトを紐で結束して保管している場合、作業中に紐が切れてレセプトがバラバラになったり、また、段ボールに保管されたりしている場合、かなりの量のレセプトが収納されているので、重量があり、棚からの出し入れ作業等が重労働となる。
【０００５】
また、紐を解いて多数のレセプトの中から所定のレセプトを取り出す際、単に多数のレセプトが積み重ねてあるだけなので、所定のレセプトが探しにくく、また、検索中にレセプトの山が崩れてレセプトがバラバラになり、そのため、後の整理に時間を要することにもなる。
【０００６】
そこで、本出願人は、レセプト等の書類の検索及び抽出・収容が容易で、棚等から簡単に出し入れできるようにした、書類を整理保管するためのファイリングボックスを提案した（特許文献１参照）。
【０００７】
前記特許文献１のファイリングボックスは、図６に示すように、正面板３、側板４、背板５及び底板により構成されるボックス本体１と、ボックス本体１の上部に連接された天蓋２とからなるファイリングボックスにおいて、正面板３の上部分は外側に開く開閉蓋７とし、天蓋２は、背板５に延設された天板１２と、側板４に折り曲げ線により内側に中折り可能に設けられた補強板１１とにより形成されている。開閉蓋７の上端には、天蓋２の係止切り込み３０に挿入する係止突片３１を設け、係止突片３１を天蓋２の係止切り込み３０に挿入して開閉蓋７を係止する。
【先行技術文献】
【特許文献】
【０００８】
【特許文献１】特開平１１−２１６９８１号公報
【考案の概要】
【考案が解決しようとする課題】
【０００９】
しかしながら、前記特許文献１のファイリングボックスは、収納したレセプト等の書類の上部が曲がって開閉蓋にもたれかかって止突片が天蓋の係止切り込みから外れて開閉蓋が開いてしまうという問題があった。
【００１０】
そこで、本考案は、ファイリングボックスに収納したレセプト等の書類が開閉蓋にもたれかかっても開かないようにしたファイリングボックスを提供するものである。
【課題を解決するための手段】
【００１１】
本考案は、正面板、側板、背板及び底板により構成されるボックス本体と、ボックス本体の上部に連接された天蓋とからなるファイリングボックスにおいて、前記正面板の上部分は外側に開く開閉蓋とし、前記天蓋は、背板に延設された天板と、側板に折り曲げ線により内側に中折り可能に設けられた補強板とにより形成され、中折りした補強板と天板との間に挿入されて挟持される係止板が折り曲げ線により内側に折曲可能に開閉蓋に連設されていることを特徴とする。
【００１２】
天蓋は、背板に延設された天板と、両側板に折り曲げ線により内側に中折り可能に設けられた補強板とが一体に形成して、天蓋の強度を上げることができる。
【００１３】
また、天蓋を構成する天板に指を挿入して引っかける指挿入孔を設けることにより、ファイリングボックスを棚から取り出し易くすることができる。さらに、開閉蓋に指挿入孔を設けることにより、開閉蓋を開けやすくすることができる。
【考案の効果】
【００１４】
本考案は以上の構成により次の効果を奏する。
（１）開閉蓋に連設された係止板が補強板と天板との間に挿入されて強く挟持されるので、係止板、補強板及び天板の動きが規制されて開閉蓋が書類の寄りかかりにより開くことがない。
【００１５】
（２）開蓋の際に、側板と補強板との折り曲げ線、補強板の中折り曲げ線及び側板の対角線状の折り曲げ線により、天蓋を前後左右方向に大きく開くことができ、正面板に設けた開閉蓋により書類を開いた際に書類の上端が手前に倒れ空間が形成されるので、検索項目が見易くなって検索が容易になり、また、書類の出し入れも容易にできる。
【００１６】
（３）天板に指挿入孔を設けることにより、ファイリングボックスを棚から出しやすくなり、また、側天板は中折りされるので、強度があり、引き出す際に天板が破れることもない。
【００１７】
（４）開閉蓋に指を挿入して引っかける指挿入穴を設けたので、開閉蓋を天蓋から、指で容易に開くことができる。
【図面の簡単な説明】
【００１８】
【図１】本考案のファイリングボックスの斜視図である。
【図２】本考案のファイリングボックスをボール紙で製造する場合の展開図である。
【図３】本考案のファイリングボックスの開閉蓋を閉める状態を示す斜視図である。
【図４】本考案のファイリングボックスで書類を検索している状態を示す斜視図である。
【図５】本考案のファイリングボックスを棚に並べた状態及び取り出す状態を示す斜視図である。
【図６】従来のファイリングボックスの斜視図である。
【考案を実施するための形態】
【００１９】
図１において、ファイリングボックスは、ボックス本体１と、ボックス本体１の上部に連接された天蓋２とから構成される。
【００２０】
図１，図２において、ボックス本体は、正面板３、左右の側板４、背板５及び底板６ａ，６ｂ，６ｃ，６ｄからなる。正面板３の上部には、正面板３に設けた折り曲げ線７ａから外側に開く開閉蓋７を設ける。折り曲げ線７ａの位置は、開閉蓋７を開いて書類を検索する際に、図４に示すように、書類の上部をめくって開き、書類上部の検索項目が見ることができる位置に開閉蓋７が開くように設ける。レセプトの場合、正面板３の上端から約１／３程度で、開閉蓋７が外側に開くようにすることで、レセプトの検索及び出し入れが容易にできる。
【００２１】
天蓋２は、それぞれの側板４の上端に延設した補強板１１と、背板５の上端から延設した天板１２を一体に設けたものからなる。両補強板１１ａ，１１ｂは、天板１２をボックス本体１に閉める際に中折れするように、背板５から正面板３に向かう対角線に折り曲げ線１３を設ける。両補強板１１を折り曲げ線１３に沿って中折れさせることにより、天蓋２の強度を上げる。
【００２２】
また、補強板１１の折り曲げ線１３の背板側の端には、側板４の一方の辺の折り曲げ線７ａの端から連続して折り曲げ線１３に向けて対角線状の折り曲げ線８が連続して接続される。側板４と補強板１１の折り曲げ線２３と、補強板１１の中折り曲げ線１３との交点と、正面板３と係止板９の折り曲げ線７ａと、側板４と正面板３の折り曲げ線２４との交点を結ぶ対角線状の折り曲げ線８を形成することにより、開蓋の際に、側板４と補強板との折り曲げ線２３、補強板１１の折り曲げ線１３及び側板４の折り曲げ線８により、天蓋２を大きく開くことができる。
【００２３】
また、天板１２及び補強板１１には、指を挿入して引っかける指挿入孔１０ａ，１０ｂが形成されるように設けてもよい補強板１１の指挿入孔１０ｂは、補強板１１が中折りされるので、中折りされたときに天板１２の指挿入孔１０ａとともに貫通するように設ける。指挿入孔１０ａ，１０ｂにより、図５に示すようにファイリングボックスを横にして棚１６に並べた場合に、棚から引き出し易くなる。
【００２４】
開閉蓋７には、係止板９が折り曲げ線１４により内側に折曲可能に開閉蓋７に連設されている。係止板９は中折りされた補強板１１と天板１２との間に挿入され、挟持されて閉蓋する。
【００２５】
また、開閉蓋７には、中折りした補強板１１と天板１２との間に挟持されている係止板９を引き抜いて開閉蓋７を開くために、指を挿入して引っかける指挿入穴１５ａを設けてもよい。あるいは、開閉蓋７と係止板９の折り曲げ線１４に切り起こしにより形成される引張り片１５ｂを形成してもよい。
【００２６】
正面板３、両側板４ａ，４ｂ、天板１２の外側には、収納物の内容を表示する表示欄を設けるか、あるいは表示ラベルを貼れるようにすることが好ましい。
【００２７】
本考案のファイリングボックスをボール紙で製造する方法について説明する。
図２に示す展開図において、正面板３には開閉蓋７及び底板６ｃを折り曲げ線７ａ及び折り曲げ線１９を介して延設し、開閉蓋７の上端には係止板９を連設し、底板６ｃには背板５に折り曲げ線２０を介して延設した底板６ａの係合片２２ａ及び係合凹部２２ｂと係合する係合片２１ａ及び係合凹部２１ｂを設ける。
【００２８】
正面板３の両側には、側板４を折り曲げ線３ａを介して延設し、側板４の下端には折り曲げ線を介して正面板３及び背板５のそれぞれの底板６ａ，６ｃの係合片２２ａ，２１ａに貼着される底板６ｂ，６ｄを延設する。
【００２９】
正面板３に折り曲げ線３を介して延設されそれぞれの側板４の上端には、補強板１１を折り曲げ線２３を介して延設し、補強板１１には対角線に中折り用の折り曲げ線１３を設ける。さらに、側板４に折り曲げ線２４を介して延設された背板５の上端には、折り曲げ線２５を介して天板１２を補強板１１と一体に延設する。天板１２には、指を挿入して引っかける指挿入孔１０ａを設け、補強板１１ｂには中折りされたときに貫通するように２個の指挿入孔１０ｂを設ける。
【００３０】
天板１２の側縁には側板４の補強板１１に貼着するのり代２６を折り曲げ線２７を介して設け、背板５の側縁には側板４に貼着するのり代２８を折り曲げ線２９を介して延設する。のり代２６，２８には接着剤を塗布し剥離紙で被覆し、貼着時に剥離紙を剥離して貼着するようにする。
【００３１】
前記構成において、正面板３、側板４及び背板５をそれぞれ内側に折り曲げ線３ａ，２４，２９で曲げ、側板４の底板６ｂ，６ｄを内側にし、正面板３及び背板５の底板６ａ，６ｃを係止し、６ａ，６ｃの底板４の係合片２１ａ，２２ａを側板４の底板６ｂ，６ｄに貼着し、背板５ののり代２８を側板４に貼着し、次いで、天板の１２のり代２６を補強板１１ａに貼着してファイルボックスを組み立てる。
【００３２】
本考案のファイリングボックスの使用方法について図３〜図５により説明する。
ボックス本体１に書類１７を収納した後、図３に示すように、天板１２を押さえて補強板１１を中折れし、天板１２と補強板１１との間に隙間を形成する。この隙間に開閉蓋７の係止板９を差し込んでいくと、補強板１１が係止板９に押さえられていき、それにしたがって天板１２が下がり、係止板９が天板１２と補強板１１との間に強く挟持されて天蓋１が閉まる。
【００３３】
レセプト等の書類を収容したファイリングボックスは、図５に示すように、分類整理されて棚１６に並べる。棚からファイリングボックスを取り出す場合、天蓋２の天板１２に設けられた指挿入孔１０ｂに指を挿入して引っかけて引き出すことにより、容易に棚１６から取り出すことができる。
【００３４】
天蓋２を開く場合には、図４に示すように、開閉蓋７の係止板９を補強板１１と天板１２の間から引き抜いて、ファイリングボックスの天蓋２を開け、収容されている書類１７の上端を手前に倒すと、正面板３の開閉蓋７も手前に倒れて書類上部に空間１８が形成される。その結果、検索項目が見易く、検索が容易となり、また、書類の出し入れも容易にできる。
【符号の説明】
【００３５】
１：ボックス本体
２：天蓋
３：正面板
３ａ：折り曲げ線  
４：側板
５：背板
６ａ，６ｂ，６ｃ，６ｄ：底板    
７：開閉蓋  
７ａ：折り曲げ線
８：折り曲げ線
９：係止板  
１０：指挿入穴
１１：補強板
１２：天板
１３：折り曲げ線
１４：折り曲げ線
１５ａ：指挿入穴
１５ｂ：引張り片
１６：棚
１７：書類
１８：空間
１９，２０：折り曲げ線
２１ａ：係合片
２１ｂ：係合凹部
２２ａ：係合片
２２ｂ：係合凹部
２３，２４，２５：折り曲げ線
２６：のり代 
２７：折り曲げ線
２８：のり代
２９：折り曲げ線  
【図１】
0003157775.tif 000003
【図２】
0003157775.tif 000004
【図３】
0003157775.tif 000005
【図４】
0003157775.tif 000006
【図５】
0003157775.tif 000007
【図６】
0003157775.tif 000008
【手続補正書】
【提出日】平成21年12月10日(2009.12.10)
【手続補正１】
【補正対象書類名】実用新案登録請求の範囲
【補正対象項目名】全文
【補正方法】変更
【補正の内容】
【実用新案登録請求の範囲】
【請求項１】
正面板、側板、背板及び底板により構成されるボックス本体と、ボックス本体の上部に連接された天蓋とからなるファイリングボックスにおいて、前記正面板の上部分は外側に開く開閉蓋とし、前記天蓋は、背板に延設された天板と、側板に折り曲げ線により内側に中折り可能に設けられた補強板とにより形成され、中折りした補強板と天板との間に挿入されて挟持される係止板が折り曲げ線により内側に折曲可能に開閉蓋に連設されていることを特徴とするファイリングボックス。
【請求項２】
側板と補強板の折り曲げ線と補強板の中折り曲げ線との交点と、正面板と係止板の折り曲げ線と側板と正面板の折り曲げ線との交点を結ぶ折り曲げ線を形成したことを特徴とする請求項１に記載のファイリングボックス。
【請求項３】
天板に指を挿入して引っかける指挿入孔を設けたことを特徴とする請求項１又は２に記載のファイリングボックス。
【請求項４】
開閉蓋に指を挿入して引っかける指挿入孔を設けたことを特徴とする請求項１、２又は３に記載のファイリングボックス。